(57)【要約】      （修正有）【課題】長期間使用できる虫捕獲器具を提供する。【解決手段】保持部と、前記保持部に連結された第１持ち手部と、保持部の表面に設けられた粘着性を有する捕獲部と、捕獲部の保持部と異なる面の一部に設けられたシール部とからなる。【選択図】図１
0003179112.tif 000002
【実用新案登録請求の範囲】
【請求項１】
保持部と、
前記保持部に連結された第１持ち手部と、
前記保持部の表面に設けられた粘着性を有する捕獲部と、
前記捕獲部の前記保持部と異なる面の一部に設けられたシール部とからなる虫捕獲器具。
【請求項２】
前記シール部の少なくとも一面に粘着性がある請求項１記載の虫捕獲器具。
【請求項３】
前記捕獲部が積層された粘着シートである請求項１または２記載の虫捕獲器具。
【請求項４】
前記捕獲部が粘着剤が塗布されたものである請求項１または２記載の虫捕獲器具。
【請求項５】
前記第１持ち手部と連結される第２持ち手をさらに有する請求項１から４のいずれか１項に記載の虫捕獲器具。
【請求項６】
前記捕獲部は交換可能に、前記保持部に粘着されている請求項１から３、５のいずれか１項に記載の虫捕獲器具。
【請求項７】
前記捕獲部は、前記保持部より小さく、前記保持部の一部分に前記捕獲部が存在しない請求項１から３、５、６のいずれか１項に記載の虫捕獲器具。
【請求項８】
請求項１から７のいずれか１項に記載の虫捕獲器具を複数有する虫捕獲器具セットであり、前記複数の虫捕獲器具の前記捕獲部の形状が異なる虫捕獲器具セット。
【請求項９】
前記請求項１から７のいずれか１項記載の虫捕獲器具を保管する収納器具であり、前記捕獲部の虫を捕獲する捕獲面が、非接触状態で保管される虫捕獲器具の収納器具。
【請求項１０】
請求項９の前記収納器具において、内部の傾斜面で前記虫捕獲器具を保持し、前記捕獲部の捕獲面が、非接触状態で保管される虫捕獲器具の収納器具。
【考案の詳細な説明】
【技術分野】
【０００１】  虫を捕獲する器具に関する。
【背景技術】
【０００２】  従来から、いくつかの虫捕獲器具がいくつか考えられていた。図９（ａ）、（ｂ）に、その１つを説明する。図９（ａ）、（ｂ）は、従来の虫捕獲器具１００を示す。図９（ａ）は、正面図で、図９（ｂ）は断面図である。保持部１０３と持ち手１０２とからなり、保持部１０３の表面に粘着シートが設けられている。この粘着シートで、ハエ等の虫を捕かまえる。粘着シートは積層構造となっており、表面からはがすことで、何度も使用できる。
殺虫剤のスプレイが使用できない場所、たとえば、料理店や幼児、赤ん坊がいる部屋病院などでは、虫捕獲器具１００が非常に有効である。空気を汚さないのでよい。
【先行技術文献】
【特許文献】
【０００３】
【特許文献１】特開２００６−３２０２９７号公報
【特許文献２】特開２００８−１３６４７０号公報
【特許文献３】実案登３０９２５７８号公報
【特許文献４】実開平０１−２４９８０号公報
【特許文献５】実開平０３−１８７７９号公報
【考案の概要】
【考案が解決しようとする課題】
【０００４】  しかし、従来の虫捕獲器具では、数匹の虫を粘着シートで捕らえた状態で、他の虫をとらえるために、虫捕獲器具を振り回す必要がある。粘着シートを頻繁に張り替えればよいが、粘着シートを使いすぎる。ある数の虫を捕らえてからでないと粘着シートを張り替えることは不経済であり、手間もかかりできない。
本願考案では、粘着シートを剥がす回数を少なくして、長期間使用できる虫捕獲器具を実現することを課題とする。
【課題を解決するための手段】
【０００５】  上記課題を解決するため、保持部と、前記保持部に連結された第１持ち手部と、前記保持部の表面に設けられた粘着性を有する捕獲部と、前記捕獲部の前記保持部と異なる面の一部に設けられたシール部とからなる虫捕獲器具を用いる。
【考案の効果】
【０００６】  捕獲部に、シールで虫が捕獲された部分を覆うので、粘着シートを貼りかえることなく、長期間、衛生的に使用できる。
いろいろな捕獲部の大きさ、形状があり、いろいろな場所で使用できる。持ち手に延長部を組み合わせるので、高いところの虫も捕獲できる。収納容器で、粘着部分を非接触で保管でき、長期間使用できる。
殺虫剤のスプレイが使用できないところ、たとえば、料理店や幼児、赤ん坊がいる部屋、病院などでは、この虫捕獲器具を用いると、スプレイによる部屋の空気を汚さないのでよい。
【図面の簡単な説明】
【０００７】
【図１】（ａ）実施形態の虫捕獲器具１００の正面図、（ｂ）実施形態の虫捕獲器具１００の正面図、（ｃ）（ｂ）の断面図
【図２】実施形態のシールを保持するシートの正面図
【図３】（ａ）〜（ｄ）捕獲部の形状の例を示す図、（ｅ）粘着シートの例を示す図
【図４】実施形態の虫捕獲器具に延長部をつけた例を示す図
【図５】（ａ）実施形態の虫捕獲器具の別の実施の形態の正面図、（ｂ）実施の形態の捕獲部の端部断面図
【図６】（ａ）実施形態の虫捕獲器具の収納容器の斜視図、（ｂ）実施形態の虫捕獲器具の収納容器の断面図
【図７】実施形態の虫捕獲器具の実施形態の断面図、
【図８】実施形態の虫捕獲器具の収納容器の断面図
【図９】（ａ）従来の虫捕獲器具１００の正面図、（ｂ）（ａ）の断面図
【考案を実施するための形態】
【０００８】（実施の形態１）
図１（ａ）から図１（ｃ）にて、本願発明の虫捕獲器具１００の１つ例を説明する。図１（ａ）から図１（ｃ）は、本願発明の虫捕獲器具１００を示す。図１（ａ）、（ｂ）は、使用途中の正面図で、図１（ｃ）は、図１（ｂ）の断面図である。保持部１０３と、持ち手１０２と、捕獲部１０１と、シール１０５とからなる。
保持部１０３は、平面状の部分で、この表面に捕獲部１０１を保持する。
持ち手１０２は、人が手で握り、虫捕獲器具１００を使用、保持する部分である。
保持部１０３、持ち手１０２は樹脂成形で作製できる。着脱可能としてもよい。一体として作製してもよい。
【０００９】  捕獲部１０１は、粘着性の積層シートであり、保持部１０３の表面に配置されている。この部分の粘着性で虫１０４を捕獲する。虫１０４は、はえ、蚊、ゴキブリなどいろいろな虫を捕獲できる。積層シートであるので、表層から１枚ずつはがすと、長期間使用できる。粘着シートの積層体でなく、液状の粘着スプレイを塗布してもよい。どちらも、市販されている、いろいろな材料を使用できる。積層シートは、代替え品の予備を用意し、使用したら貼ることで、長期間使用できる。
シール１０５は、捕獲部１０１の保持部１０３と異なる面上に設けられる、シート状の小さなものである。虫１０４を覆う。
【００１０】  図１（ａ）は、虫捕獲器具１００でいく匹かの虫を捕獲したところである。図１（ｂ）は、図１（ａ）の虫１０４の位置（捕獲部１０１上）に、シール１０５を貼り付けたところである。このように、虫１０４上にシール１０５を設け、覆うことで、虫１０４の一部が、落ちることなく、虫捕獲器具１００を、思う存分使用できる。衛生上非常に有効である。シール１０５は、虫１０４を覆い、捕獲部１０１の粘着性で、捕獲部１０１に付着させることもよいが、シール１０５の片面に粘着性を付与し、捕獲部１０１に付着させれば、しっかりと虫１０４をカバーし虫１０４の一部が落ちることをしっかりと防護できる。
【００１１】  また、粘着性を持たせた面を表面側（捕獲部１０１側と異なる面）に設けると、そのシート１０９の部分でも虫１０４を捕獲できる。シール１０５の両面に粘着性があれば最もよい。すでに捕獲した虫のところでも、このシール１０５にて、虫を捕獲できる。
さらには、捕獲部１０１の粘着シートを積層でなく、１層とし、シール１０５を重ねてはってもよい。長期間、捕獲部１０１の粘着シートの張替えをしなくともよい。
【００１２】  図２は、シールの提供方法である。虫捕獲器具１００とは、別途、図２に示すシール１０５を用意する。シート１０９上にシール１０５を複数保持し、必要に応じ、シート１０９上から、シール１０５を剥がし、捕獲部１０１に貼り付ける。シール１０５の形状は、シート状で、虫の外形より大きく、貼り付けやすく、はがれにくい、円形、さらに楕円形がよい。捕獲部１０１と同じ形、相似形がよい。特に捕獲部１０１の端部で、面積の利用効率がよい。
【００１３】（実施の形態２）
図３は、別の実施の形態を説明する図である。図３（ａ）から図３（ｄ）は、捕獲部１０１のいろいろな形状、正面図を示す。図３（ｅ）は、その捕獲部１０１に貼り付ける粘着シート１１１を示す。
【００１４】  虫捕獲器具１００は、使用時に虫の動きにより、すばやく動かす必要がある。また、家の中で、かぎられた空間で使用する場合もある。さらに、大きなホールでの使用の場合もある。家でもいろいろな部屋がある。そこで、いろいろな大きさ、形状の捕獲部１０１をセットとして用意するとよい。
【００１５】  図３（ａ）と（ｂ）は大きさが違う、相似形状である。楕円形状である。風を切ってすばやく動かせる。小さい空間、大きい空間で使い分けて使用できる。
図３（ｃ）は、四角形である。コーナは丸みを付けている。部屋のコーナ部分に虫を追い込んで捕獲する場合に有効である。
図３（ｄ）は、台形である、扇形状でもよい、虫を先端で捕らえる場合に先端が広がっている形状として、捕獲確率を高めている。
【００１６】  図３（ｅ）は、捕獲部１０１として用いられる、粘着シート１１１である。それぞれに合う形状の粘着シート１１１でもよいが、使用頻度が高くないため、任意の大きさの粘着シート１１１を提供し、各々の捕獲部１０１に合わせて、カットして貼り付けることがよい。上記に示したように粘着剤のスプレイを用いて粘着性を持たせてもよい。
図では、持ち手１０２を省略しているが、一体として作製してもよいし、分離型として共通の持ち手１０２をそれぞれの捕獲部１０１と組み立ててもよい。
いくつかの形状の捕獲部１０１を有するセットとして所有すると、いろいろな場所で利用できよい
【００１７】（実施の形態３）（延長部、調整機能）
図４は、別の実施の形態を説明する図である。虫捕獲器具１００により、天井など高いところの虫を捕獲するには、捕獲部１０１を高いところに届くようにする必要がある。しかし、低いところの虫を捕獲する必要もある。そこで、延長部１１０（第２持ち手）を設けた。延長部１１０は、持ち手１０２と着脱可能である。必要に応じて、取り付け使用する。持ち手１０２と延長部１１０とを、入れ込み、必要に応じて伸ばす方式でもよい。樹脂製品として樹脂成形で作製できる。
【００１８】（実施の形態４）（収納容器）
図５（ａ）、（ｂ）は、別の実施の形態を説明する図である。
図５（ａ）は、捕獲部１０１の平面図であり、切欠き２０３がある。この切欠き２０３は、捕獲部１０１の粘着層をカットしており、粘着層が積層構造である場合に、粘着シートを１枚ずつはがすための部分である。図５（ｂ）は、捕獲部１０１と保持部１０３の端部の断面図である。図５（ｂ）のように、捕獲部１０１の積層の粘着層の端部をテーパ状に斜めにしておけば、粘着シートを１枚ずつはがしやすい。
【００１９】（実施の形態５）
図６（ａ）、（ｂ）は、別の実施の形態を説明する図である。図６（ａ）は、虫捕獲器具１００を収納保管する収納容器２０１の斜視図である。開口された収納部２０２を複数有する。図６（ｂ）は、この収納容器２０１に虫捕獲器具１００を収納したときの断面図である。この収納部２０２に、虫捕獲器具１００を入れて保管する。捕獲部１０１は粘着性があるので、上を向けて、収納部２０２に触れないようにして保管する。
この例では、複数の収納部２０２を設けたが１つでもよい。冷蔵庫や電子レンジ、食器棚の上にセットし、保管できる。実施の形態１のシート１０９も保管すると、消失しないので便利である。
【００２０】（実施の形態６）
図７は、別の実施の形態を説明する図である。図７は、保持部１０３の捕獲部１０１と異なる面に直接、掛け部７０１を設けたものである。この掛け部７０１は、コの字型で机、棚、壁などに引っ掛けることができる。掛け部７０１を保持部１０３と一体に作製してもよい。掛け部７０１は保持部１０３に設けた貫通穴でもよい。また、図示はしないが、保持部１０３に磁石を埋め込み、冷蔵庫、電子レンジなど金属製品に保持させてもよい。
保持部１０３、または、持ち手１０２に穴を開けて、つるしてもよい。
【００２１】（実施の形態７）
図８は、別の実施の形態の収納容器２０１の断面図である。内部に傾斜部７０２があり、この上に虫捕獲器具１００を保持する。捕獲部１０１がどことも触れないで保管できる。図７と同様に、掛け部７０１や磁石を用いてもよい。
なお、上記の実施の形態は、それぞれ阻害するものがない限り組み合わせできる。
【産業上の利用可能性】
【００２２】    虫捕獲器具として、広く、家庭、料理店、事業所、工場、学校、宿泊場などで使用で    きる。
【符号の説明】
【００２３】１００  虫捕獲器具
１０１  捕獲部
１０２  持ち手
１０３  保持部
１０４  虫
１０５  シール
１０９  シート
１１０  延長部
１１１  粘着シート
２０１  収納容器
２０２  収納部
２０３  切欠き
７０１  掛け部
７０２  傾斜部
【図１】
0003179112.tif 000003
【図２】
0003179112.tif 000004
【図３】
0003179112.tif 000005
【図４】
0003179112.tif 000006
【図５】
0003179112.tif 000007
【図６】
0003179112.tif 000008
【図７】
0003179112.tif 000009
【図８】
0003179112.tif 000010
【図９】
0003179112.tif 000011